(57)【特許請求の範囲】
【請求項１】
流路を有した空調ケースと、該空調ケース内において上流側に配置され空気を冷却する冷却用熱交換器と、前記空調ケース内において前記冷却用熱交換器よりも下流側に配置され前記空気を加熱する加熱用熱交換器と、前記加熱用熱交換器によって加熱される温風と該加熱用熱交換器をバイパスする冷風との混合割合を調整し、車室内への前記空気の送風温度を調整する温度調整手段と、前記温度調整手段により温度調整された前記空気を乗員の顔側へと送風するベント送風口と、前記温度調整手段により温度調整された前記空気を前記乗員の足元側へと送風するフット送風口とを備える車両用空調装置において、
前記温度調整手段は、前記空調ケースに回動自在に設けられ、前記加熱用熱交換器をバイパスする冷風通路の開度を調整する冷風側エアミックスダンパと、
前記空調ケースに回動自在に設けられ、前記加熱用熱交換器を通過する温風通路の開度を調整する温風側エアミックスダンパと、
を備え、
前記冷風側エアミックスダンパが全開状態から回動し、前記温風側エアミックスダンパが全閉状態から回動し、前記冷風側エアミックスダンパの開度と同一開度になった後、前記温風側エアミックスダンパの開度が最大となり、且つ、前記冷風側エアミックスダンパの開度を下回らない範囲内で前記開度を最小とすることを特徴とする車両用空調装置。
【請求項２】
請求項１記載の車両用空調装置において、
前記冷風側エアミックスダンパ及び温風側エアミックスダンパは、前記空調ケースに軸支される回転軸と、該回転軸を中心として互いに離間する方向に延在した一組のドア部とを有したバタフライ式であることを特徴とする車両用空調装置。
【請求項３】
請求項１又は２記載の車両用空調装置において、
前記温風側エアミックスダンパの回動可能範囲が、前記冷風側エアミックスダンパの回動可能範囲よりも小さく設定されることを特徴とする車両用空調装置。
【請求項４】
流路を有した空調ケースと、該空調ケース内において上流側に配置され空気を冷却する冷却用熱交換器と、前記空調ケース内において前記冷却用熱交換器よりも下流側に配置され前記空気を加熱する加熱用熱交換器と、前記加熱用熱交換器によって加熱される温風と該加熱用熱交換器をバイパスする冷風との混合割合を調整して、車室内への前記空気の送風温度を調整する温度調整手段と、前記温度調整手段により温度調整された前記空気を乗員の顔側へと送風するベント送風口と、前記温度調整手段により温度調整された前記空気を前記乗員の足元側へと送風するフット送風口とを備えた車両用空調装置の制御方法において、
前記温度調整手段を構成し前記加熱用熱交換器をバイパスする冷風通路の開度を調整する冷風側エアミックスダンパを全開状態から全閉に向けて回動させると同時に、前記加熱用熱交換器を通過する温風通路の開度を調整する温風側エアミックスダンパを全閉状態から全開に向けて回動させる工程と、
前記温風側エアミックスダンパの開度と前記冷風側エアミックスダンパの開度とが同一となった後、前記温風側エアミックスダンパを最大開度として維持する工程と、
前記温風側エアミックスダンパの開度を、前記冷風側エアミックスダンパの開度を下回らない範囲内で最小として維持する工程と、
前記温風側エアミックスダンパの開度を全開に向けて回動させる工程と、
を有することを特徴とする車両用空調装置の制御方法。
【発明の詳細な説明】
【技術分野】
【０００１】
本発明は、車両に搭載され、熱交換器によって温度調整のなされた空気を車室内へと送風して車室内の温度調整を行う車両用空調装置及びその制御方法に関する。
【背景技術】
【０００２】
従来から、車両に搭載される車両用空調装置は、例えば、送風機の駆動作用下に空気を空調ケース内へと取り込み、冷却手段であるエバポレータにより冷却された空気と、加熱手段であるヒータコアにより加熱された空気とをエアミックスダンパを駆動させることで所望の混合比率で混合した後、例えば、前記空調ケースに設けられた複数の送風口から車室内へと送風している。
【０００３】
このような車両用空調装置では、例えば、特許文献１に開示されるように、エアミックスドアがエバポレータとヒータコアとの間に配置され、ヒータコアの下流側となる温風通路と該ヒータコアをバイパスするバイパス通路に亘ってスライド自在に構成されている。
【先行技術文献】
【特許文献】
【０００４】
【特許文献１】特開２００５−８８６２９号公報
【発明の概要】
【発明が解決しようとする課題】
【０００５】
上述したような車両用空調装置では、車室内における乗員の顔及び足元近傍に送風を行うバイレベルモードが選択された場合、ベント送風口から冷風を送風することで乗員の顔近傍を冷やしつつ、フット送風口から温風を送風することで乗員の足元近傍を温めることが行われているが、乗員の快適性を高める目的で冷風と温風の温度差を拡大させたいという要請がある。
【０００６】
そこで、特許文献１に係る車両用空調装置において、例えば、空調ケース内に整流リブを追加し冷風と温風とを強制的に分流させることで、それぞれベント送風口及びフット送風口へと導くことが考えられるが、その場合、整流リブによって空調ケース内の流路構造が複雑となる上に、前記整流リブの分だけ重量が増加してしまうという問題がある。さらに、整流リブを設けることで通風抵抗が増加し風量の低下や騒音の増加等の他の性能へ影響を及ぼす可能性が高く、これらの影響を考慮すると冷風と温風との温度差の拡大を図ることが難しい。
【０００７】
本発明は、前記の課題を考慮してなされたものであり、簡素な構成で冷風と温風との温度差を拡大させることで車室内の快適性を高めることが可能な車両用空調装置及びその制御方法を提供することを目的とする。
【課題を解決するための手段】
【０００８】
前記の目的を達成するために、本発明は、流路を有した空調ケースと、空調ケース内において上流側に配置され空気を冷却する冷却用熱交換器と、空調ケース内において冷却用熱交換器よりも下流側に配置され空気を加熱する加熱用熱交換器と、加熱用熱交換器によって加熱される温風と加熱用熱交換器をバイパスする冷風との混合割合を調整し、車室内への空気の送風温度を調整する温度調整手段と、温度調整手段により温度調整された空気を乗員の顔側へと送風するベント送風口と、温度調整手段により温度調整された空気を乗員の足元側へと送風するフット送風口とを備える車両用空調装置において、
温度調整手段は、空調ケースに回動自在に設けられ、加熱用熱交換器をバイパスする冷風通路の開度を調整する冷風側エアミックスダンパと、
空調ケースに回動自在に設けられ、加熱用熱交換器を通過する温風通路の開度を調整する温風側エアミックスダンパと、
を備え、
冷風側エアミックスダンパが全開状態から回動し、温風側エアミックスダンパが全閉状態から回動し、冷風側エアミックスダンパの開度と同一開度になった後、温風側エアミックスダンパの開度が最大となり、且つ、冷風側エアミックスダンパの開度を下回らない範囲内で開度を最小とすることを特徴とする。
【０００９】
本発明によれば、車両用空調装置において加熱用熱交換器によって加熱される温風と加熱用熱交換器をバイパスする冷風との混合割合を調整して、車室内への空気の送風温度を調整する温度調整手段が設けられ、この温度調整手段が、加熱用熱交換器をバイパスする冷風通路の開度を調整する冷風側エアミックスダンパと、加熱用熱交換器を通過する温風通路の開度を調整する温風側エアミックスダンパとから構成される。
【００１０】
そして、冷風側エアミックスダンパを全開状態から回動させ、温風側エアミックスダンパを全閉状態から回動させ、冷風側エアミックスダンパの開度と同一開度になった後、温風側エアミックスダンパの開度を最大とし、且つ、冷風側エアミックスダンパの開度を下回らない範囲内で開度を最小とする。
【００１１】
これにより、冷風と温風との温度差を拡大させたい領域において、温風側エアミックスダンパを最大開度として維持することで、整流リブを設けた場合に懸念される流路の複雑化や重量増加を招くことなく、簡素な構成でベント送風口から送風される冷風とフット送風口から送風される温風との温度差を拡大させることが可能となり、冷風と温風とを同時に車室内へと送風する際における車室内の快適性を高めることができる。
【００１２】
また、冷風側エアミックスダンパ及び温風側エアミックスダンパを、空調ケースに軸支される回転軸と、該回転軸を中心として互いに離間する方向に延在した一組のドア部とを有したバタフライ式とすることにより、温風側エアミックスダンパの開度が全閉から全開までの間となる回動可能範囲が大きくなった場合でも、例えば、ドア部の端部に軸部を有した片持ち式のダンパ等と比較し、全開付近の開度差による風量への影響が少ないので、冷風と温風とを混合させ温度調整を行う際の温度コントロール性への影響が抑制される。
【００１３】
さらに、温風側エアミックスダンパの回動可能範囲を、冷風側エアミックスダンパの回動可能範囲よりも小さく設定することにより、両者の開度差が大きな場合であっても、該開度差による風量への影響が抑制され、温度コントロール性の向上を図ることができる。
【００１４】
さらにまた、本発明は、流路を有した空調ケースと、空調ケース内において上流側に配置され空気を冷却する冷却用熱交換器と、空調ケース内において冷却用熱交換器よりも下流側に配置され空気を加熱する加熱用熱交換器と、加熱用熱交換器によって加熱される温風と加熱用熱交換器をバイパスする冷風との混合割合を調整し、車室内への空気の送風温度を調整する温度調整手段と、温度調整手段により温度調整された空気を乗員の顔側へと送風するベント送風口と、温度調整手段により温度調整された空気を乗員の足元側へと送風するフット送風口とを備えた車両用空調装置の制御方法において、
温度調整手段を構成し加熱用熱交換器をバイパスする冷風通路の開度を調整する冷風側エアミックスダンパを全開状態から全閉に向けて回動させると同時に、加熱用熱交換器を通過する温風通路の開度を調整する温風側エアミックスダンパを全閉状態から全開に向けて回動させる工程と、
温風側エアミックスダンパの開度と冷風側エアミックスダンパの開度とが同一になった後、温風側エアミックスダンパを最大開度として維持する工程と、
温風側エアミックスダンパの開度を、冷風側エアミックスダンパの開度を下回らない範囲内で最小として維持する工程と、
温風側エアミックスダンパの開度を全開に向けて回動させる工程と、
を有することを特徴とする。
【発明の効果】
【００１５】
本発明によれば、以下の効果が得られる。
【００１６】
すなわち、車両用空調装置において冷風と温風との混合割合を調整する温度調整手段が、加熱用熱交換器をバイパスする冷風通路の開度を調整する冷風側エアミックスダンパと、加熱用熱交換器を通過する温風通路の開度を調整する温風側エアミックスダンパとからなり、冷風側エアミックスダンパを全開状態から回動させ、温風側エアミックスダンパを全閉状態から回動させ、冷風側エアミックスダンパの開度と同一開度になった後、温風側エアミックスダンパの開度を最大とし、且つ、冷風側エアミックスダンパの開度を下回らない範囲内で開度を最小とする。
【００１７】
その結果、冷風と温風との温度差を拡大させたい領域において、温風側エアミックスダンパを最大開度として維持することで、整流リブを設けた場合に懸念される流路の複雑化や重量増加を招くことなく、簡素な構成でベント送風口から送風される冷風とフット送風口から送風される温風との温度差を拡大させることができ、冷風と温風とが同時に送風されるバイレベルモード時における車室内の快適性を高めることができる。
【図面の簡単な説明】
【００１８】
【図１】本発明の実施の形態に係る車両用空調装置の全体断面図である。
【図２】図１の車両用空調装置の運転時における第１及び第２エアミックスダンパの開度と冷風及び温風の混合割合との関係を示す特性曲線図である。
【図３】図２の特性曲線に対応し、冷風及び温風の混合割合とベント送風口及びフット送風口からの冷風温度及び温風温度との関係を示す特性曲線図である。
【発明を実施するための形態】
【００１９】
本発明に係る車両用空調装置及びその制御方法について好適な実施の形態を挙げ、添付の図面を参照しながら以下詳細に説明する。図１において、参照符号１０は、本発明の実施の形態に係る車両用空調装置を示す。なお、以下の説明では、図１に示される車両用空調装置１０の左側（矢印Ａ方向）を車両の前方側とし、右側（矢印Ｂ方向）を該車両の後方側として説明する。
【００２０】
この車両用空調装置は、図１に示されるように、空気の各通路を構成する空調ケース１２と、該空調ケース１２の内部に配設される送風機１４と、前記空気を冷却するエバポレータ（冷却用熱交換器）１６と、該空気を加熱するヒータコア（加熱用熱交換器）１８と、前記各通路内を流通する空気の流れを切り替えるダンパ機構２０とを含む。
【００２１】
空調ケース１２は、例えば、略対称形状の第１及び第２分割ケース２２、２４から構成され、前記第１及び第２分割ケース２２、２４は車両の前後方向（矢印Ａ、Ｂ方向）と直交する幅方向に分割可能に設けられる。
【００２２】
また、空調ケース１２の上方（矢印Ｃ１方向）には、乗員の顔近傍に送風を行うベント送風口２６と、該ベント送風口２６と隣接して車両のフロントウィンドウ近傍に送風を行うデフロスタ送風口２８とが開口している。なお、ベント送風口２６が車両後方側（矢印Ｂ方向）、デフロスタ送風口２８が車両前方側（矢印Ａ方向）となるように隣接して形成される。
【００２３】
一方、空調ケース１２の内部には、上方となる位置に送風機１４が収納され、該送風機１４の軸方向が空調ケース１２の幅方向と略平行となるように配置される。この送風機１４は、例えば、モータ等の通電作用下に回転するファン３０を有している。
【００２４】
そして、空調ケース１２には、送風機１４の外周側を取り巻くように螺旋状の送風通路３２が形成され、該送風通路３２は第１分割ケース２２側から見て前記送風機１４の下方（矢印Ｃ２方向）から時計回りに形成され、通路断面積が徐々に大きくなりながら車両前方側から車両後方側（矢印Ｂ方向）に向かって延在している。この送風通路３２の下方（矢印Ｃ２方向）に開口した端部にはノーズ部３４が形成され、前記ノーズ部３４は送風通路３２の外周面から下方へと突出して空調ケース１２の車両後方側（矢印Ｂ方向）に形成された第１通路３６と連通している。
【００２５】
エバポレータ１６は、例えば、送風機１４の下方（矢印Ｃ２方向）に直立するように設けられ、図示しない複数のチューブを通じて冷媒が循環されている。そして、エバポレータ１６には、チューブの間に設けられたフィン（図示せず）に上流側（第１通路３６側）からの空気が通過することで、該空気と前記冷媒との熱交換がなされ、冷却された空気（冷風）がエバポレータ１６の下流側へと供給される。
【００２６】
空調ケース１２におけるエバポレータ１６の下流側には、ヒータコア１８側に向かって延在する第２通路３８が設けられ、該第２通路３８にはダンパ機構２０を構成する第１エアミックスダンパ（温風側エアミックスダンパ）４６が設けられると共に、車両前方側（矢印Ａ方向）となる第２通路３８の下流側にはヒータコア１８が設けられる。
【００２７】
また、エバポレータ１６の下流側において、第２通路３８の上方（矢印Ｃ１方向）には、ベント送風口２６及びデフロスタ送風口２８まで湾曲しながら延在する第３通路４０が形成される。すなわち、第２通路３８は、その約半分がヒータコア１８に臨み、残りの半分が第３通路４０と連通するように形成されており、前記第２通路３８とヒータコア１８又は第３通路４０との連通状態を第１エアミックスダンパ４６によって切り替えている。
【００２８】
ヒータコア１８は、第２通路３８を挟んでエバポレータ１６と略平行に設けられ、図示しない複数のチューブを通じて温水が循環されており、前記チューブの間に設けられたフィンに空気が通過することで、該空気と前記温水との熱交換がなされ、加熱された空気（温風）がヒータコア１８の下流側に形成された第４通路４２へと流通する。
【００２９】
この第４通路４２は、ヒータコア１８の下流側において上方（矢印Ｃ１方向）に向かって延在し、空調ケース１２の側面に開口したフット送風口４４と連通可能に形成されると共に、第３通路４０との合流部にはダンパ機構２０を構成する第２エアミックスダンパ（冷風側エアミックスダンパ）４８が設けられる。
【００３０】
ダンパ機構２０は、エバポレータ１６とヒータコア１８との間の第２通路３８に回動自在に設けられる第１エアミックスダンパ４６と、ヒータコア１８の下流側となる第４通路４２と第３通路４０との合流部に設けられる第２エアミックスダンパ４８と、ベント送風口２６及びデフロスタ送風口２８の送風状態を切り替える第１切替ダンパ５０と、第４通路４２からフット送風口４４への送風状態を調整する第２切替ダンパ５２とを有する。
【００３１】
第１エアミックスダンパ４６は、例えば、略長方形で板状に形成された一組のドア部５４ａ、５４ｂと、一方のドア部５４ａと他方のドア部５４ｂとの間に設けられる回転軸５６とを有したバタフライ構造であり、前記回転軸５６の両端部が第１及び第２分割ケース２２、２４の側壁に軸支されることで第１エアミックスダンパ４６が回転自在に支持される。
【００３２】
そして、第１エアミックスダンパ４６は、第２通路３８に形成された壁部１２ａに当接した全閉状態から回転軸５６を中心として時計回りに所定角度だけ回動自在に設けられ、前記全閉状態では第２通路３８を通じた冷風のヒータコア１８側への流通を遮断し、該全閉状態から開方向（時計回り）へと回動することで前記冷風が前記ヒータコア１８側へと供給される。
【００３３】
第２エアミックスダンパ４８は、第１エアミックスダンパ４６と同様に、例えば、略長方形で板状に形成された一組のドア部５８ａ、５８ｂと、一方のドア部５８ａと他方のドア部５８ｂとの間に設けられる回転軸６０とを有したバタフライ構造であり、前記回転軸６０の両端部が第１及び第２分割ケース２２、２４の側壁に軸支されることで回転自在に支持される。
【００３４】
そして、第２エアミックスダンパ４８は、第３及び第４通路４０、４２にそれぞれ形成された壁部１２ｂに当接した全閉状態から回転軸６０を中心として時計回りに所定角度だけ回動自在に設けられ、前記全閉状態では第２通路３８から第３通路４０への冷風の流通を遮断し、且つ、ヒータコア１８を通過した温風を第４通路４２へ流通させる。一方、上述した全閉状態から開方向（時計回り）へと回動することで第２通路３８と第３通路４０とが連通し、冷風が第３通路４０を通じてベント送風口２６側へと供給される。
【００３５】
また、第１エアミックスダンパ４６の回動可能範囲（角度）θ１は、第２エアミックスダンパ４８の回動可能範囲（角度）θ２よりも小さくなるように設定されている（θ１＜θ２）。
【００３６】
第１及び第２切替ダンパ５０、５２は、空調ケース１２に軸支される軸部６２ａ、６２ｂと、該軸部６２ａ、６２ｂに対して外周方向へ延在したドア部６４ａ、６４ｂとからなる片持ち構造であり、前記第１切替ダンパ５０は、ベント送風口２６とデフロスタ送風口２８との間に軸部６２ａが軸支され、図示しないアクチュエータの駆動作用下に軸部６２ａを中心として所定角度だけ回動することで、ベント送風口２６及びデフロスタ送風口２８のいずれか一方を選択的に閉塞する。また、第２切替ダンパ５２は、フット送風口４４の上方に軸部６２ｂが軸支され、その回動作用下に前記フット送風口４４と第４通路４２との連通状態を切り替えている。
【００３７】
本発明の実施の形態に係る車両用空調装置１０は、基本的には以上のように構成されるものであり、次にその動作並びに作用効果について説明する。
【００３８】
先ず、車室内の室温を低下させる冷房運転を行う場合について説明する。図示しない乗員が車室内において操作レバーを操作して冷房運転を選択することで、該操作レバーの操作に応じて図示しないアクチュエータが駆動し、図１に示されるように、第１エアミックスダンパ４６が壁部１２ａに当接した全閉状態となると共に、第２エアミックスダンパ４８が全開状態となる。これにより、空調ケース１２内において第２通路３８と第３通路４０とが連通し、前記第２通路３８とヒータコア１８との連通が遮断された状態となる。
【００３９】
また、同時に、図示しないコントローラからの制御信号に基づき、送風機１４のファン３０が回転することにより、空調ケース１２内へと吸い込まれた空気が送風通路３２に沿って旋回するように下方へと流通した後、第１通路３６を経てエバポレータ１６を通過することで熱交換され所定温度に冷却される。
【００４０】
そして、冷却された空気は、第２通路３８から第３通路４０へと上方（矢印Ｃ１方向）に向かって流通した後、第１切替ダンパ５０の切替作用下に開口しているベント送風口２６を通じて車室内へと供給される。
【００４１】
次に、ベント送風口２６から乗員の顏近傍へ冷風を送風すると同時に、フット送風口４４から前記乗員の足元近傍へと温風を送風するバイレベルモードで運転する場合について図１〜図３を参照しながら説明する。なお、図２の特性曲線図は、第１及び第２エアミックスダンパ４６、４８の開度と冷風及び温風の混合割合とを示すものであり、第１エアミックスダンパ４６の開度をＬ１（太い実線）、第２エアミックスダンパ４８の開度をＬ２（細い実線）とすると共に、最も左側が温風の全く混合されていない冷風のみの状態を混合割合０％とし、冷風が全く混合されていない温風のみの状態を混合割合１００％としている。
【００４２】
すなわち、図２の特性曲線図では、その左端から右側に向かって第１エアミックスダンパ４６及び第２エアミックスダンパ４８のそれぞれの開度範囲に対する開度割合及び閉度割合を変化させることで徐々に温風の混合割合が増加していく。
【００４３】
先ず、第１エアミックスダンパ４６を全閉状態から徐々に時計回りに回動させていくことで徐々に開き始めると同時に、第２エアミックスダンパ４８を全開状態から徐々に反時計回りに回動させていくことで閉じ始める。
【００４４】
すなわち、図２から諒解されるように、第１エアミックスダンパ４６の開度Ｌ１が徐々に大きくなり始め、反対に、第２エアミックスダンパ４８の開度Ｌ２が徐々に小さくなっていく。
【００４５】
そして、図２に示されるように、第１エアミックスダンパ４６と第２エアミックスダンパ４８の開度Ｌ１、Ｌ２が略同一となった時点から、前記第２エアミックスダンパ４８を継続的に閉方向となる反時計回りに回動させていく一方、前記第１エアミックスダンパ４６を開方向へと所定角度だけ回動させた後、その回動動作を停止させ開度Ｌ１を略一定で維持する。
【００４６】
また、第１エアミックスダンパ４６の開度Ｌ１は略一定で維持された後に、若干だけ小さくなるように閉方向へと回動動作させ、再び略一定の開度Ｌ１で維持する。なお、この間にも第２エアミックスダンパ４８は、略一定の割合で閉動作し続けている。
【００４７】
これにより、第２エアミックスダンパ４８が連続的に閉じていく一方、第１エアミックスダンパ４６の開度Ｌ１が回動可能範囲（θ１）の略中央近傍で維持することで、第２通路３８内の冷風を第３通路４０側とヒータコア１８側へと好適に分流させることができる。その結果、図３から諒解されるように、第２通路３８からヒータコア１８を通過して第４通路４２からフット送風口４４へ送風される温風の温風温度Ｔ２を、上述した第１エアミックスダンパ４６の制御を行わずに連続的に開動作させた場合の温風温度Ｔ２´（図３中、破線参照）と比較してより高くすることができるため、それに伴って、第２通路３８から第３通路４０を通じてベント送風口２６へと送風される冷風の冷風温度Ｔ１と温度差（Ｔ２−Ｔ１）が好適に拡大される。
【００４８】
また、この際、車両用空調装置１０の冷風温度Ｔ１に対して、さらに温度を下げた冷風温度Ｔ１´（図３中、破線参照）とすることで、温風温度Ｔ２との温度差をさらに拡大することが可能となる。
【００４９】
最後に、車室内における乗員の足元近傍へ温風を送風する暖房運転を行う場合には、図示しない操作レバーの操作に伴って第１エアミックスダンパ４６が全開状態となり、第２通路３８とヒータコア１８とが連通した状態となると共に、第２エアミックスダンパ４８が反時計回りに回動して壁部１２ｂに当接することで、第２通路３８と第３通路４０との連通が遮断された全閉状態となる。
【００５０】
そして、送風機１４から送風されエバポレータ１６を通過することで冷却された空気は、第２通路３８からヒータコア１８を通過することで所定温度に加熱され、第４通路４２を通じて第２切替ダンパ５２によって開放されたフット送風口４４から車室内へと供給される。
【００５１】
以上のように、本実施の形態では、車両用空調装置１０を構成する空調ケース１２の内部において、エバポレータ１６とヒータコア１８との間となる第２通路３８に第１エアミックスダンパ４６を設け、前記ヒータコア１８の下流側となる第４通路４２と該ヒータコア１８をバイパスする第３通路４０との合流部に第２エアミックスダンパ４８を設け、冷風の冷風温度Ｔ１と温風の温風温度Ｔ２との温度差を拡大させたい領域（冷風と温風とが同時に供給されるバイレベルモード）において、第１エアミックスダンパ４６が最大開度とした後、前記第２エアミックスダンパ４８の開度を下回らない範囲で最小開度となるように制御する。
【００５２】
これにより、空調ケース１２内に冷風と温風とを整流するための整流リブを設けた場合に懸念される流路の複雑化や重量増加を招くことなく、簡素な構成でベント送風口２６から送風される冷風とフット送風口４４から送風される温風との温度差を拡大させることが可能となり、冷風と温風とが同時に送風されるバイレベルモード時における車室内の快適性を高めることができる。
【００５３】
また、第１及び第２エアミックスダンパ４６、４８を、中央に回転軸５６、６０を有したバタフライ式のダンパとすることで、前記第１エアミックスダンパ４６の開度Ｌ１が全閉から全開までの間となる回動可能範囲θ１が大きくなった場合でも、例えば、ドア部の端部に軸部を有した片持ち式のダンパ等と比較し、全開付近の開度差による風量への影響が少ないので、冷風と温風とを混合させ温度調整を行う際の温度コントロール性への影響が抑制される。
【００５４】
さらに、第１エアミックスダンパ４６の回動可能範囲θ１が、第２エアミックスダンパ４８の回動可能範囲θ２よりも小さく設定されているため、両者の開度差が大きな場合であっても、該開度差による風量への影響が抑制され、温度コントロール性の向上を図ることができる。
【００５５】
なお、本発明に係る車両用空調装置及びその制御方法は、上述の実施の形態に限らず、本発明の要旨を逸脱することなく、種々の構成を採り得ることはもちろんである。
【符号の説明】
【００５６】
１０…車両用空調装置                １２…空調ケース
１４…送風機                        １６…エバポレータ
１８…ヒータコア                    ２０…ダンパ機構
２６…ベント送風口                  ２８…デフロスタ送風口
４４…フット送風口                  ４６…第１エアミックスダンパ
４８…第２エアミックスダンパ        ５０…第１切替ダンパ
５２…第２切替ダンパ
【図１】
0006577894.tif 000002
【図２】
0006577894.tif 000003
【図３】
0006577894.tif 000004